(57)【要約】【課題】  エアジェット等の風圧が作用することによる操作性の低下を防止し、操作性の向上したエアシャワー装置を提供する。【解決手段】  ファンからのエアをフィルタを介して人体や物品に吹き付け、塵埃を吹き飛ばすエアシャワー装置であって、エアシャワー室内に、制御装置に接続した感圧式のタッチパネルを備え、前記感圧式のタッチパネルの所定のアイコンを操作することによりタッチパネルの操作を無効とするようにしたものである。【選択図】  図５
2019158291.tif 000002
【特許請求の範囲】
【請求項１】
ファンからのエアをフィルタを介して人体や物品に吹き付け、塵埃を吹き飛ばすエアシャワー装置であって、
エアシャワー室内に、制御装置に接続した感圧式のタッチパネルを備え、
前記感圧式のタッチパネルの所定のアイコンを操作することによりタッチパネルの操作を無効とするようにしたエアシャワー装置。
【請求項２】
請求項１に記載のエアシャワー装置において、
前記感圧式のタッチパネルは、エアシャワー室内のエアジェット気流が吹き付けられる位置に取り付けられていることを特徴とするエアシャワー装置。
【請求項３】
請求項１に記載のエアシャワー装置において、
前記感圧式のタッチパネルは、操作無効運転切替用アイコンを備え、
前記操作無効運転切替用アイコンを一定時間タッチし続けた時、ファンモータが作動している間のタッチパネル操作を無効とすることを特徴とするエアシャワー装置。
【請求項４】
請求項３に記載のエアシャワー装置において、更に、
前記操作無効運転切替用アイコンを一定時間タッチし続けた時、ドアが開いている状態のタッチパネル操作を無効とすることを特徴とするエアシャワー装置。
【請求項５】
請求項３に記載のエアシャワー装置において、更に、
前記ファンモータの作動と連動してタッチパネル操作を無効とすることを特徴とするエアシャワー装置。
【請求項６】
請求項１に記載のエアシャワー装置において、
前記感圧式のタッチパネルは、画面ロック状態切替アイコンを備え、
前記画面ロック状態切替アイコンを一定時間タッチし続けた時、タッチパネルにて表示する画面をホーム画面に固定し、画面の切替や設定の変更を無効とすることを特徴とするエアシャワー装置。
【請求項７】
請求項６に記載のエアシャワー装置において、
ホーム画面固定後、所定のアイコンを特定の順番およびタッチ時間にてタッチすることによりホーム画面の固定を解除し、他の画面へ再度の切替や設定の変更を可能とすることを特徴とするエアシャワー装置。
【請求項８】
ファンからのエアをフィルタを介して人体や物品に吹き付け、塵埃を吹き飛ばすエアシャワー装置であって、
エアシャワー室内に、制御装置に接続した感圧式のタッチパネルを備え、
前記タッチパネルに、タッチパネル操作画面にエアジェット気流の風圧が作用することを防止する開閉可能なカバーを取り付けたエアシャワー装置。
【請求項９】
請求項８に記載のエアシャワー装置において、
前記感圧式のタッチパネルは、エアシャワー室内のエアジェット気流が吹き付けられる位置に取り付けられていることを特徴とするエアシャワー装置。
【発明の詳細な説明】
【技術分野】
【０００１】
本発明は、感圧式のタッチパネルを取り付けたエアシャワー装置に関する。
【背景技術】
【０００２】
一般的なエアシャワー装置の機能として、エアシャワー室内の人や物品に対して、天井および側面に取り付けているエアジェットノズルからエアジェットを吹き出し、人や物品に付着している塵埃や髪の毛などを吹き飛ばす。
【０００３】
エアシャワー装置の一例として、特許文献１には、「エアシャワー装置は、対象者の衣類に付着した付着物を除去するためのエアシャワー装置であって、タッチパネル式のディスプレイ装置と、制御部と、を備えている。ディスプレイ装置には、対象者の身長区分を入力するためのボタンが表示される。対象者は、表示されたボタンを操作することにより、身長区分を入力する。制御部は、前記身長区分に応じて開閉シャッターを制御することにより、対象者の頭部の位置に対する空気の噴出を行わないようにする。」と記載されている（要約参照）。
【先行技術文献】
【特許文献】
【０００４】
【特許文献１】特開２０１２−２６６９８号公報
【発明の概要】
【発明が解決しようとする課題】
【０００５】
エアシャワー装置において、感圧式のタッチパネル機器を取り付ける際、風圧が作用することにより機器の操作性が低下するという問題点がある。例えば、エアジェットやエアガンの気流がタッチパネル機器に当たることにより、タッチパネル機器が誤作動する恐れがある。また、作業者がタッチパネルを操作する際に、作業者の手に気流が当たることにより、違うボタンを押してしまう恐れがある。
【０００６】
特許文献１の図１等に記載のエアシャワー装置は、噴出ノズルの上方にタッチパネル式のディスプレイ装置が取り付けられているため、気流がディスプレイ装置に当たることは少ないが、タッチパネル式のディスプレイ装置を高所に設けることによる操作性については考慮されていない。
【０００７】
本発明は、エアジェット等の風圧が作用することによる操作性の低下を防止し、操作性の向上したエアシャワー装置を提供することを目的とする。
【課題を解決するための手段】
【０００８】
上記課題を解決するための、本発明の「エアシャワー装置」の一例を挙げるならば、
ファンからのエアをフィルタを介して人体や物品に吹き付け、塵埃を吹き飛ばすエアシャワー装置であって、エアシャワー室内に、制御装置に接続した感圧式のタッチパネルを備え、前記感圧式のタッチパネルの所定のアイコンを操作することによりタッチパネルの操作を無効とするようにしたものである。
【発明の効果】
【０００９】
本発明によれば、エアシャワー装置内に感圧式のタッチパネルを取り付けた際、エアジェット等の風圧が作用することによる操作性の低下を防止したエアシャワー装置を提供することができる。
【００１０】
上記した以外の課題、構成及び効果は、以下の実施形態の説明により明らかにされる。
【図面の簡単な説明】
【００１１】
【図１】エアシャワー装置の外観斜視図である。
【図２】エアシャワー装置を作業者が通行する方向に対し側面から見た断面図である。
【図３】エアシャワー装置を作業者が通行する方向から見た断面図である。
【図４】エアシャワー装置の主要部を示す斜視図である。
【図５】実施例1のエアシャワー装置のタッチパネルのホーム画面を示す図である。
【図６】実施例１のエアシャワー装置の電気系のブロック構成図である。
【図７】実施例２のエアシャワー装置のタッチパネルのホーム画面を示す図である。
【図８】実施例３のエアシャワー装置の主要部を示す斜視図である。
【発明を実施するための形態】
【００１２】
以下、本発明の実施例を、図面を用いて説明する。なお、実施例を説明するための各図において、同一の構成要素にはなるべく同一の名称、符号を付して、その繰り返しの説明を省略する。
【実施例１】
【００１３】
本発明の実施例１のエアシャワー装置を図１〜図６に沿って説明する。図1は、エアシャワー装置の外観斜視図である。１はエアシャワー装置全体を示している。２は出入口側のドアロック解除用スイッチを示している。３は出入口側のドアを示している。４は、手動ドア３を正面として、右側の本体ケースを示す。５は、手動ドア３を正面として、左側の本体ケースを示す。
【００１４】
図２は、エアシャワー装置を作業者が通行する方向に対し側面から見た断面図である。６はエアシャワー装置に取り付けられた感圧式のタッチパネルを示している。７はクリーンルーム側のドアロック解除スイッチを示している。８はクリーンルーム側のドアを示している。９はエアシャワー装置に取り付けられたエアジェット吹き出しノズルを示している。エアジェット吹き出しノズル９は、エアシャワー室の側面や上面に複数設けられている。１０はプレフィルタカバーを示している。１１はエアジェット作動用センサを示している。
【００１５】
図３は、エアシャワー装置を作業者が通行する方向からみた断面図である。１２はプレフィルタを示している。１３はファンを駆動するファンモータを示している。１４はメインフィルタを示している。１５はエアシャワー装置の制御ユニット（制御装置）を示している。これらの配置は、図の位置に限るものではない。本発明におけるドアタイプは、手動ドアのみに限定するものではなく、自動ドアでもよい。また、エアジェット作動用センサ１１は光電スイッチである必要はなく、押しボタンスイッチや人感センサでもよい。
【００１６】
図４は、エアシャワー装置の主要部を示す斜視図である。本体ケース４には、ノズル９を取り付けたダクトカバーが設けられ、本体ケース５のダクトカバーにはエアシャワー室の内部露出面に取り付けられた感圧式のタッチパネル６が設けられている。
【００１７】
図４の符号１６は、本体ケース４のノズル９を取り付けた部分を、本体ケース５のエアシャワー室内露出面に垂直方向に投影した部分である。斜線部１７は、エアシャワー室内露出面において、領域１６の部分を除く領域である。本体ケース４に取り付けた複数のノズル９よりエアジェット気流１８が噴出される。
【００１８】
エアシャワー装置の動作は次のとおりである。作業者が出入口側のドア３からエアシャワー室内に入り、エアジェット作動用センサ１１で検知されると、ファンを駆動するファンモータ１３が回転する。ファンにより送られたエアは、メインフィルタ１４により塵埃などが除去され、エアシャワー室の側面および上面のノズル９からエアジェット気流として作業者へ吹き付けられる。作業者から吹き飛ばされた塵埃や髪の毛などは、下方に設けたプレフィルタ１２で取り除かれ、エアはファンにより循環する。所定の時間、エアジェットが作動すると、クリーンルーム側のドアロックが解除され、作業者はクリーンルーム側のドア８からクリーンルーム側へ出ることができる。
【００１９】
図５は、作業者がエアシャワー装置を通行する時に通常表示される感圧式のタッチパネルの画面である。２０は感圧式のタッチパネルのホーム画面を示す。２１は、タッチパネル画面内においてエアジェット時間をカウントダウンするためなどの、表示部を示す。２２は、一定時間タッチし続けることにより、エアジェット作動中のタッチパネルの操作を無効とする運転に切替える操作無効運転切替用アイコンを示す。２３，２４はタッチパネルを操作するための画面操作用アイコンを示す。２５は操作ボタンのアイコンを示す。２６は表示を選択する選択用のアイコンを、２７は照明を切り替える照明用のアイコンを示す。
【００２０】
図においては、カウントダウン［秒］が選択されているため、表示部２１にはエアジェットの残り時間が表示されている。選択用のアイコン２６でジェット時間［秒］を選択し、操作ボタン２５を操作することにより、エアジェット時間を設定することができ、クリーンアップ時間［秒］を選択し、操作ボタン２５を操作することにより、エアジェットが終了してドアロック解除までのクリーンアップ時間を設定することができる。また、ジェット回数［回］を選択することにより、リセットしてからの、例えばエアフィルタを交換してリセットしてからのエアジェット回数を表示部２１に表示することができ、また、ジェット総回数［万回］を選択することにより、エアシャワー装置を設置してからのエアジェットの総回数を表示することができる。
【００２１】
本実施例では、操作を無効とする操作無効運転切替用アイコン２２を一定時間タッチし続けた時、ファンモータ１３が作動し、エアシャワー装置制御ユニット１５よりファンモータ出力信号がＯＮ状態となっている間のタッチパネル操作を無効とし、画面操作用アイコン２３，２４による画面の切替えや設定等の全ての圧力検知画面をタッチすることによる操作を無効とする。また、ホーム画面２０以外の画面にて操作、情報閲覧中であってもファンモータ１３が作動すると強制的にホーム画面２０に切替える。
なお、エアジェットが作動中でない状態、例えばドア開閉中などの場合は、タッチパネルは操作可能である。また、本実施例においてホーム画面２０のレイアウトは図５のものに限定されるものではない。
【００２２】
図６に、実施例１のエアシャワー装置の電気系のブロック構成図を示す。ＰＬＣ（Programmable Logic Controller）等のエアシャワー制御ユニット１５には、感圧式タッチパネル６の画面操作用アイコン２３，２４、操作ボタンアイコン２５、操作無効運転切替用アイコン２２などからの信号が入力する。また、エアジェット作動用センサ１１や、出入口側のドアロック解除用スイッチ２、クリーンルーム側のドアロック解除スイッチ７からの信号も入力する。そして、エアシャワー制御ユニット１５の表示出力により、感圧式タッチパネル６の表示部２１にカウントダウン時間等の情報が表示されるとともに、制御出力がファンモータ１３に加えられ、ファンモータのＯＮ・ＯＦＦなどを制御する。なお、図には記載していないが、出入口側やクリーンルーム側のドアロックもエアシャワー制御ユニット１５で制御される。
【００２３】
実施例３の変形例として、ファンモータが作動している間のタッチパネル操作を無効とするに加えて、ドア（出入口側、クリーンルーム側）が開いた状態においてもタッチパネル操作を無効とするようにしてもよい。ドアが開いた状態（ドア開中）では人や物の出入りがあるため、人や物によるタッチパネルへの接触等でタッチパネルの誤操作の恐れがある。そのため、人や物の動きがないときのみ、タッチパネル操作を有効とすればよい。
【００２４】
また、エアシャワー動作に連動して、タッチパネル操作を無効とするように構成してもよい。
【００２５】
本実施例によれば、感圧式のタッチパネル６に操作無効運転切替用アイコン２２を備え、操作無効運転切替用アイコン２２を一定時間タッチし続けることにより、ファンモータ１３が作動している間のタッチパネル操作を無効とすることができる。そのため、エアジェット気流等の風圧が作用することによる感圧式のタッチパネルの誤操作を防止し、操作性を向上することができる。
【実施例２】
【００２６】
図７に基づいて本発明の実施例２を説明する。
図７は、作業者がエアシャワー装置を通行する時に表示される感圧式タッチパネルの画面である。２８は画面ロック状態切替アイコンを示す。２０は画面ロック状態切替アイコン２８を設置したエアシャワー装置のホーム画面を示す。その他のアイコンについては、図５と同様である。
【００２７】
実施例２では、画面ロック状態切替アイコン２８を一定時間タッチし続けることにより、ファンモータ１３が作動中か否かに関わらずタッチパネル６にて表示する画面をホーム画面２０に固定し、画面の切替や設定の変更を無効とする。ホーム画面固定後、画面操作用アイコン２３，２４を特定の順番及びタッチ時間にてタッチすることにより、ホーム画面の固定を解除し、他の画面へ再度切替や設定の変更を可能とする状態に戻すものである。ホーム画面の固定の解除は、画面ロック状態切替アイコン２８を長押しして、解除するようにしてもよい。
なお、本実施例において、画面のレイアウトはこの図７に限定するものではない。
【００２８】
本実施例によれば、感圧式のタッチパネル６に画面ロック状態切替アイコン２８を備え、画面ロック状態切替アイコン２８を一定時間タッチし続けることにより、ファンモータ１３が作動中か否かに関わらずタッチパネル６にて表示する画面をホーム画面２０に固定し、画面の切替や設定の変更を無効とすることができる。そのため、エアジェット気流等の風圧が作用することによる感圧式のタッチパネルの誤操作を防止し、操作性を向上することができる。また、一般的に、様々な設定は管理者が行うため、一般使用者の誤操作・故意の設定変更を防ぐことも可能となる。
【実施例３】
【００２９】
本発明の実施例３のエアシャワー装置を、図８に基づいて説明する。
図８は、実施例３のエアシャワー装置の主要部を示す斜視図である。本体ケース４には、ノズル９を取り付けたダクトカバーが設けられ、本体ケース５のダクトカバーにはエアシャワー室の内部露出面に取り付けられた感圧式のタッチパネル６が設けられている。感圧式のタッチパネル６は、ノズル９から噴出するエアジェット気流１８の風圧が直接作用する場所、図の例では、本体ケース５のダクトカバーの略中央部に設けられている。感圧式のタッチパネル６には開閉可能で、かつカバー越しにタッチパネル画面を視認可能な透明樹脂製カバー３０が取り付けられている。図の例では、カバー３０はカバー上部の回転軸を中心に開閉可能であるが、カバー下部の回転軸を中心に開閉可能としても、また、カバー側部の回転軸を中心に左右に開閉可能としてもよい。また、カバー３０は、上下または左右にスライドすることにより開閉可能にしてもよい。
【００３０】
本実施例では、感圧式のタッチパネル６に開閉可能なカバー３０を取り付け、エアジェット作動時にはカバー３０を閉めることにより、タッチパネル操作画面にエアジェット気流１８の風圧が直接作用することを防止することができる。また、カバー３０を取り付けることにより、エアシャワー装置内にてエアガンを使用する際、エアガンの風圧がタッチパネル操作画面に作用することによる誤動作を防ぎ、操作性のよいエアシャワー装置を提供することができる。
【符号の説明】
【００３１】
１  エアシャワー装置
２  出入口側ドアロック解除スイッチ
３  出入口側手動ドア
４，５  本体ケース
６  感圧式タッチパネル
７  クリーンルーム側ドアロック解除スイッチ
８  クリーンルーム側手動ドア
９  エアジェット吹き出しノズル
１０  プレフィルタカバー
１１  エアジェット作動用センサ
１２  プレフィルタ
１３  ファンモータ
１４  メインフィルタ
１５  エアシャワー制御ユニット
１６  ノズルを垂直方向に投影した本体ケースの露出面
１７  ノズルを垂直方向に投影した本体ケースの露出面を除いた本体ケースの露出面
１８  ノズルより吹出すエアジェット気流
２０  タッチパネルのホーム画面
２１  表示部
２２  エアジェット中操作無効運転切替用アイコン
２３，２４  画面操作用アイコン
２５  操作ボタンアイコン
２６  選択用アイコン
２７  照明用アイコン
２８  画面ロック状態切替アイコン
３０  開閉可能なカバー
【図１】
2019158291.tif 000003
【図２】
2019158291.tif 000004
【図３】
2019158291.tif 000005
【図４】
2019158291.tif 000006
【図５】
2019158291.tif 000007
【図６】
2019158291.tif 000008
【図７】
2019158291.tif 000009
【図８】
2019158291.tif 000010